(57)【要約】【課題】ゴミや粉塵の進入防止、及び防犯性を容易に向上させることが可能なパネル体及び当該パネル体を備えたシャッター装置を提供する。【解決手段】複数のパイプ体により区画された視認領域の一部を閉塞する閉塞部と、閉塞部の後面側に設けられ、開閉方向に沿って隣接する一方のパイプ体の軸回りに係止される第１の係止部と、閉塞部の後面側に設けられ、開閉方向に沿って隣接する他方のパイプ体の軸回りに係止される第２の係止部とを備えた構成とした。【選択図】図１
2014136941.tif 000002
【特許請求の範囲】
【請求項１】
複数の連結手段を介して開閉方向に沿って連結された複数のパイプ体により区画された複数の視認領域を有するパイプカーテンに取り付けられるパネル体であって、
前記パネル体は、前記視認領域の一部を閉塞する閉塞部と、
前記閉塞部の後面側に設けられ、開閉方向に沿って隣接する一方のパイプ体の軸回りに係止される第１の係止部と、
前記閉塞部の後面側に設けられ、開閉方向に沿って隣接する他方のパイプ体の軸回りに係止される第２の係止部と、
を備えたことを特徴とするパネル体。
【請求項２】
前記第１の係止部が、前記一方のパイプ体の軸回りにおいて延在し、前記一方のパイプ体の外周面と当接する折曲片によって形成されたことを特徴とする請求項１記載のパネル体。
【請求項３】
前記第２の係止部が、前記他方のパイプ体の外周面の一部と接する支持片と、
前記支持片の後面側において該支持片と対向し、前記他方のパイプ体を前記支持片との間で挟持する挟持手段とを備えたことを特徴とする請求項１又は請求項２記載のパネル体。
【請求項４】
前記支持片が、前記開閉方向と直交する幅方向の端部に互いに離間して設けられ、当該支持片同士の離間寸法を前記第１の係止部の幅方向寸法以上に設定したことを特徴とする請求項３記載のパネル体。
【請求項５】
前記請求項１乃至請求項４記載のいずれかのパネル体を備えたことを特徴とするシャッター装置。
【発明の詳細な説明】
【技術分野】
【０００１】
本発明は、シャッター装置のパイプカーテンに対して容易に着脱可能なパネル体等に関し、特に外部からのゴミの侵入防止や目隠しが可能なパネル体等に関する。
【背景技術】
【０００２】
従来、シャッター装置の一例として、複数の金属パイプをリンク等の連結手段を介して上下方向に連結し、正面視格子状に形成されたパイプカーテンと呼ばれる開閉体を採用したものが知られている。当該パイプカーテンを採用したシャッター装置にあっては、金属パイプが格子状に連結された構造であるため高い堅牢性を有し、パイプカーテンが閉鎖した状態であってもパイプとリンクとによって区画される視認領域を介して、内部の様子を視認でき、例えばショーウインドウ，ショールーム等が併設された店舗やビルの出入り口等に広く採用されている。
しかし、上述のようなパイプカーテンは、閉鎖時において、視認領域を介して外部からゴミや粉塵が進入し易く、或いは、視認領域を介して必要以上に店舗内が覗かれることや店舗内に配設されたシャッター装置の操作ボタンが操作され得るという防犯上の懸念がある。
【先行技術文献】
【特許文献】
【０００３】
【特許文献１】特開２００８−２７４５９７号公報
【発明の概要】
【発明が解決しようとする課題】
【０００４】
本発明は、上記課題を解決するべく、ゴミや粉塵の進入防止、及び防犯性を容易に向上させることが可能なパネル体及び当該パネル体を備えたシャッター装置を提供することを目的とする。
【課題を解決するための手段】
【０００５】
上記課題を解決するため、本発明に係るパネル体として、複数のパイプ体により区画された視認領域の一部を閉塞する閉塞部と、閉塞部の後面側に設けられ、開閉方向に沿って隣接する一方のパイプ体の軸回りに係止される第１の係止部と、閉塞部の後面側に設けられ、開閉方向に沿って隣接する他方のパイプ体の軸回りに係止される第２の係止部とを備えた構成とした。
本構成を備えたパネル体によれば、第１の係止部と第２の係止部をそれぞれ開閉方向に隣接するパイプ体に係止するだけで視認領域の一部を閉塞部によって容易に閉塞することが可能となるため、ゴミや粉塵の進入防止、及び防犯性を容易に向上させることができる。
また、第１の係止部を一方のパイプ体の軸回りにおいて延在し、一方のパイプ体の外周面と当接する折曲片によって形成すれば、パネル体を一方のパイプ体に対して容易に着脱することが可能となる。
また、第２の係止部を他方のパイプ体の外周面の一部と接する支持片と、支持片の後面側において該支持片と対向し、他方のパイプ体を支持片との間で挟持する挟持手段とを備えた構成とすれば、パネル体を他方のパイプ体に対して強固に取り付けることが可能となる。
また、支持片を開閉方向と直交する幅方向の端部に互いに離間して設け、当該支持片同士の離間寸法を第１の係止部の幅方向寸法以上に設定すれば、パネル体を互いに隣接する複数の視認領域に対して連続して取り付けた場合に、複数のパネル体同士が干渉することがなくなるため、パイプカーテンを円滑に巻き取り、或いは繰り出すことが可能となる。
上記発明の概要は、本発明の必要な特徴の全てを列挙したものではなく、これらの特徴群のサブコンビネーションもまた、発明となり得る。
【図面の簡単な説明】
【０００６】
【図１】シャッター装置の概略正面図である。
【図２】パネル体取り付け時の斜視図である。
【図３】パネル体の縦断面図である。
【図４】他の実施形態に係る係合手段の縦断面図である。
【図５】巻き取り時及び繰り出し時のパイプカーテンとパネル体との関係を示す縦断面図である。
【図６】他の実施形態に係るパネル体の斜視図である。
【図７】他の実施形態に係るパネル体の斜視図及び縦断面図である。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
図１は、本発明に係るシャッター装置の一例としてのパイプシャッター１０の概略正面図であり、図２は、パネル体４０の取付状態を示す斜視図である。同図に示すようにパイプシャッター１０は、例えば構造物躯体１１に開設された開口部１２に設置される。構造物躯体１１は、例えば店舗やビル，住宅，倉庫，工場等の構造物の内外を仕切る外壁や、構造物の内部において内部の空間を仕切る内壁等である。開口部１２は、構造物躯体１１に開設され、内外を連通する空間として形成される。
【０００９】
パイプシャッター１０は、概略、開口部１２の幅方向の両側に互いに離間して設置される一対のガイドレール１３；１３と、ガイドレール１３；１３の長手方向（上下方向）に沿って巻き取り又は繰り出され、開口部１２を開閉するパイプカーテン３０と、ガイドレール１３；１３の上方に設けられるシャッターケース１４内に収容される巻取り機構６０とを備える。
なお、本明細書において「幅方向」とは、パイプカーテン３０の開閉方向と直交する方向であって、パイプカーテン３０の厚み（前後方向）とは異なる方向を言う。また、本明細書においては、パイプカーテン３０の巻き取り，繰り出し方向（開閉方向）が上下方向である場合を例として説明するが、パイプカーテン３０の開閉方向が幅方向であってもよい。
【００１０】
図１に示すようにガイドレール１３；１３は、構造物躯体１１に対して、長手方向が垂直となるように構造物躯体１１に一部が埋設された状態で立設される。ガイドレール１３は、横断面略コ字状の内部構造を有する中空状の部材であって、パイプカーテン３０の幅方向端部を囲繞するように保持する。これにより、パイプカーテン３０は、ガイドレール１３；１３に沿って巻き取り方向（上方向）、又は、繰り出し方向（下方向）に案内される。
【００１１】
ガイドレール１３；１３によって案内されるパイプカーテン３０は、上下方向に沿って互いに隣接する複数のパイプ体３１と、上下方向に隣接するパイプ体３１同士を互いに連結するリンク部材３２とにより正面視格子状に組み付けられる。
【００１２】
パイプ体３１は、例えばステンレス，アルミニウム等の金属や硬質の合成樹脂等によって形成される中空又は中実の長尺部材であって、開口部１２の幅方向に渡って延在する。パイプ体３１の長手方向の寸法は、開口部１２の幅方向の両側に互いに対向して設置される一対のガイドレール１３；１３間の幅方向の寸法よりも僅かに長く設定され、パイプ体３１の幅方向両端部は、ガイドレール１３；１３の内部に取り込まれた状態となる。
【００１３】
図２に示すように、複数のパイプ体３１同士を連結するリンク部材３２は、パイプ体３１の長手方向と直交する方向（上下方向）に延在し、上下方向に互いに隣接するパイプ体３１同士を連結する矩形状のプレートである。リンク部材３２には、上下方向の端部にそれぞれ第１係合部３２Ａ及び第２係合部３２Ｂが形成される。
【００１４】
図２の仮想線で示すように、第１係合部３２Ａ、及び第２係合部３２Ｂは、それぞれパイプ体３１を挿通可能な円形のリンク孔を有する円弧状であり、第１係合部３２Ａの幅寸法Ｗ１は、第２係合部３２Ｂの幅寸法Ｗ２よりも長く設定される。
そして、リンク部材３２によって、隣接するパイプ体３１同士を連結するには、上方に位置する一方のリンク部材３２の第２係合部３２Ｂに形成されたリンク孔と、下方に位置する他方のリンク部材３２の第１係合部３２Ａに形成されたリンク孔とを互いに重ね合わせた状態でパイプ体３１を挿通することにより、上方に位置する一方のリンク部材３２と、下方に位置するリンク部材３２とを互いに接続することにより行われる。このように、上下方向に隣接するパイプ体３１同士が、円形のリンク孔を有するリンク部材３２によって連結されることにより、各パイプ体３１は、リンク孔内において回動自在となり、後述の巻取り機構６０によって巻き取り可能となる。
【００１５】
上述のように、複数のパイプ体３１と複数のリンク部材３２とによって構成されたパイプカーテン３０には、上下方向に隣接するパイプ体３１；３１、及び幅方向に隣接するリンク部材３２；３２によって区画される矩形状の視認領域１８が複数形成される。そして、例えば屋外にいる通行人は、当該複数の視認領域１８を介して、屋内の様子を視認することができる。本実施形態においては、複数の視認領域１８のいずれかに、以下に詳説するパネル体４０を取り付けることにより、視認領域１８を閉塞する構成としている。なお、パイプ体３１同士、又はリンク部材３２同士の間隔や組み付け方法に関しては上述の例に限定されるものではなく、開口部１２の寸法や場所などに応じて適宜設定すればよい。
【００１６】
次に、図２及び図３（Ａ−Ａ断面図）を参照して、視認領域１８を閉塞するパネル体４０について詳細に説明する。各図に示すようにパネル体４０は、例えばステンレス，アルミニウム等の金属や有色の合成樹脂等によって成形される板体である。パネル体４０は、矩形状に形成された個々の視認領域１８の形状と対応する矩形状の閉塞部４１と、当該閉塞部４１より上方に突出するとともに、上方に位置するパイプ体３１の周囲を取り囲むように接する折曲部４２と、閉塞部４１の幅方向端部側において下方に突出し、下方に位置するパイプ体３１と接する支持部４３とを有して一体に成形される。
【００１７】
閉塞部４１は、視認領域１８の面積とほぼ対応する面積を有し、内部を視認可能な開口として形成された視認領域１８を前方側から閉塞する。なお、本例においては閉塞部４１の面積を視認領域１８の面積と対応するものとしたが、これに限られるものではなく、視認領域１８の一部を閉塞可能な大きさであればよい。
【００１８】
図３に示すように、折曲部４２は閉塞部４１の上縁部４１Ａより上方に向かって突出する立上り片４２Ａと、当該立上り片４２Ａの上端部より後方に突出する水平片４２Ｂ、及び水平片４２Ｂの後端部より下方に立ち下がる立下り片４２Ｃよりなる断面コの字状に形成される。
また、パイプ体３１を前後方向に挟んで互いに対向する立上り片４２Ａと立下り片４２Ｃとの離間距離は、パイプ体３１の直径Ｒ１と略同一の寸法に設定されている。折曲部４２がこのように形成されたことにより、パネル体４０を折曲部４２を介して、上方に位置するパイプ体３１の周囲に対して容易に係止することが可能となる。
【００１９】
図２に示すように、支持部４３は、閉塞部４１の幅方向端部において閉塞部４１の下縁部４１Ｂよりも垂下する複数の支持片４３Ａ；４３Ｂにより構成される。図３に示すように、支持片４３Ａ；４３Ｂの上下方向の寸法Ｈ１は、下方に位置するパイプ体３１の直径Ｒ１とほぼ同一寸法に設定されており、パネル体４０が折曲部４２を介して上方に位置するパイプ体３１に係止された場合、下方に位置するパイプ体３１の前方の一部が覆い隠される（図２参照）。
【００２０】
次に、折曲部４２の位置関係と、支持部４３を構成する支持片４３Ａ；４３Ｂの位置関係について説明する。
図２に示すように、閉塞部４１の幅方向端部から垂下する支持片４３Ａと支持片４３Ｂとの離間寸法Ｗ３は、閉塞部４１より突出する折曲部４２の幅方向寸法Ｗ４とほぼ同一寸法に設定されている。従って、上下方向に隣接する複数の視認領域１８に対してパネル体４０を連続して個別に取り付けるような場合には、上方に位置するパネル体４０の支持片４３Ａ；４３Ｂ間に、下方に位置するパネル体４０の折曲部４２が隙間なく組み合わされた状態となり、施工性や見栄えが向上するとともに、パイプカーテン３０の巻き取り時において隣接するパネル体４０同士が干渉することが防止される。つまり、支持片４３Ａ；４３Ｂの間に形成された領域は、折曲部４２の逃げ部として機能する。
【００２１】
次に、パネル体４０の後面側に配設される挟持手段について説明する。図３に示すように、パネル体４０の後面には、閉塞部４１及び支持片４３Ａ（４３Ｂ）に渡って上下方向に延在する板ばね４５が配設される。板ばね４５は、支持片４３Ａ；４３Ｂが形成された位置と対応する閉塞部４１の幅方向端部側に設けられ、一端が閉塞部４１の後面に図外の固定手段を介して固定され、他端が支持片４３Ａ；４３Ｂの後面まで延在する。板ばね４５は、複数の折り曲げ加工が施されており、パイプ体３１と接触する挟持部４５Ａが、該挟持部４５Ａと支持片４３Ａ；４３Ｂとの間にパイプ体３１が介在しない状態において、パイプ体３１の直径Ｒ１よりも短い離間寸法を持って支持部４３の後面と近接している。
【００２２】
次に、図３を参照して、上記構成からなるパネル体４０の上下方向に隣接するパイプ体３１に対する施工手順について説明する。パネル体４０の取り付けに際しては、まず、上下に隣接する任意のパイプ体３１；３１の前方に閉塞部４１をあてがい、視認領域１８に対する閉塞部４１の位置を決定する。その後、閉塞部４１をあてがったまま、パネル体４０全体を下方に位置するパイプ体３１側に押し下げる。パネル体４０の押し下げ動作によって、閉塞部４１より上方に突出する折曲部４２が上方に位置するパイプ体３１の周囲に係止されるとともに、板ばね４５が下方に位置するパイプ体３１の周面に沿って後方に押し開けられ、板ばね４５の付勢力によって下方に位置するパイプ体３１が板ばね４５と支持部４３（支持片４３Ａ；４３Ｂ）とによって挟持された状態となる。
【００２３】
以上の手順によってパネル体４０は、視認領域１８を閉塞するように、視認領域１８を形成する上下方向に隣接するパイプ体３１；３１間に強固に固定される。即ち、本実施形態においては、パネル体４０における折曲部４２が、上方に位置する一方のパイプ体３１に係止される第１の係止手段を構成し、支持部４３及び板ばね４５が下方に位置する他方のパイプ体３１に係止される第２の係止手段を構成し、これらの複数の係止手段を設けたことにより、既存のパイプカーテンが有する複数の視認領域１８の任意の場所にパネル体４０を容易に取り付けることが可能となり、ゴミや粉塵の進入防止、及び防犯性を容易に向上させることが可能となる。
【００２４】
次に、図４を参照して、係合手段の他の形態について説明する。
図４（ａ）に示す例は、パネル体４０における複数の係合手段を断面Ｃ字状のクリップ体５０によって構成した点で異なる。同図に示すように、上方に位置するパイプ体３１に係止される第１の係合手段としてのクリップ体５０は、閉塞部４１の上縁部４１Ａより上方に向かって突出する立上り片４２Ａの幅方向の端部側に配設された断面Ｃ字状の弾性体である。当該クリップ体５０は、その内周面がパイプ体３１の外周面と同一の湾曲形状を有し、パイプ体３１を内部に取込可能な開口部５１を有する。クリップ体５０の内周面の直径は、パイプ体３１を内部に取り込んでいない状態において、パイプ体３１の直径Ｒ１よりも僅かに小さく設定される。そして、パネル体４０の取り付けに際しては、クリップ体５０の開口部５１をパイプ体３１の周囲に押し当てながら、パネル体４０をパイプ体３１に向かって後方に押し込むことにより、開口部５１を弾性変形によって拡張させ、パイプ体３１をＣ字状のクリップ体５０の内周面に取り込ませることにより行われる。このように、クリップ体５０の弾性変形を利用してクリップ体５０を上方に位置するパイプ体３１に係止することにより、パネル体４０が上方に位置するパイプ体３１に強固に固定される。
【００２５】
下方に位置するパイプ体３１に係止される第２の係合手段としてのクリップ体５０は、第１の係合手段としてのクリップ体５０と同様の構成を有し、閉塞部４１の幅方向端部から垂下する支持片４３Ａ；４３Ｂと対応する位置にそれぞれ配設される。なお、下方に位置するパイプ体３１への取り付け方法については前述した方法と同様であり、クリップ体５０の弾性変形を利用してクリップ体５０を下方に位置するパイプ体３１に係止することにより、パネル体４０が下方に位置するパイプ体３１に強固に固定される。
以上のとおり、本実施形態においても、パネル体４０を隣接するパイプ体３１；３１間に容易に取り付けることが可能である。なお、本実施形態においては、第１の係合手段としてのクリップ体５０を、立上り片４２Ａの幅方向の端部側にそれぞれ独立して配設したが、クリップ体５０の幅方向寸法を変更し、立上り片４２Ａの幅方向に沿って連続して延在するものとしてもよい。
【００２６】
図４（ｂ）に示す例は、係合手段の更に異なる形態を示し、本形態は前述したＣ字状の係合手段を半割状とした保持体５５Ａ；５５Ｂを備えた点で異なる。同図に示すように、上方に位置するパイプ体３１に係止される第１の係合手段としての保持体５５Ａは、閉塞部４１の上端部近傍に幅方向両端部に分かれて、或いは幅方向に渡って連続して延在する上方が開放した断面椀状の部材であって、その曲率は、上方に位置するパイプ体３１の下部の外周面と接する形状に設定される。一方、下方に位置するパイプ体３１に係止される第２の係合手段としての保持体５５Ｂは、閉塞部４１の下端部近傍に幅方向両端部に分かれて、或いは幅方向に渡って連続して延在する下方が開放した断面椀状の部材であって、その曲率は、下方に位置するパイプ体３１の上部の外周面と接する形状に設定される。即ち、保持体５５Ａ及び保持体５５Ｂは、その開放部の向きが異なる同一形状の部材である。
【００２７】
そして、保持体５５Ａ及び保持体５５Ｂをそれぞれ上下のパイプ体３１；３１に係止するには、保持体５５Ａ及び保持体５５Ｂ又はこれらのうちのいずれかを下方又は上方に撓ませながらパネル体４０をパイプ体３１側に押し込むことにより行われる。以上のとおり、本実施形態に係る係止手段によっても、パネル体４０を隣接するパイプ体３１；３１間に容易に取り付けることが可能である。
【００２８】
また、本実施形態に係る保持体５５Ａ；５５Ｂによれば、断面形状をＣ字状に対して半割状として、パイプ体３１と接する面積をパイプ体３１の円周の半分以下としたことから、パネル体４０を上下に隣接するように複数のパイプ体３１に取り付けた場合でも、上下に隣接する保持体５５Ａ；５５Ｂ同士が干渉せず、上述の各実施形態において形成されていた折曲部４２（立上り片４２Ａ）、及び支持部４３（支持片４３Ａ；４３Ｂ）を省略することができ、加工の容易化及び軽量化を図ることが可能となる。なお、上述したクリップ体５０及び保持体５５Ａ；５５Ｂは、一定の弾性変形を生じ得るものであれば如何なる材質であってもよく、アルミニウムやステンレス等の金属、或いは、合成樹脂等が好適に採用可能である。
【００２９】
以下、上述の各実施形態により構成されたパイプシャッター１０の巻取り機構６０について概説する。
図１に示すように、巻取り機構６０は、シャッターケース１４内に設置される機構である。巻取り機構６０は、概略、シャッターケース１４の一部を構成する左右のブラケット１５；１５と、左右のブラケット１５；１５間に架設されるシャフト６１と、シャフト６１の回転と同期して巻き取り方向及び繰り出し方向に回転自在なホイール６２と、シャフト６１を巻き取り方向又は繰り出し方向に回転させる図外のモータを備える。
【００３０】
シャフト６１は、開口部１２に立設されるガイドレール１３；１３の幅方向に延在する支柱であって、その両端部がブラケット１５，１５に設けられた保持手段によって、回転自在に支承される。また、シャフト６１の一端部の軸回りには、無端状のチェーン等の連結体６４と連結される従動輪６１Ａが設けられている。従動輪６１Ａは、連結体６４を介して図外のモータの出力軸に設けられた駆動輪と連結されており、モータの回転力は、駆動輪、連結体６４及び従動輪６１Ａを介してシャフト６１に伝達される。
ホイール６２は、シャフト６１に対して所定の間隔をもって設けられる円筒状の金属部材である。ホイール６２は、中心部に開設された図外の嵌挿孔を介してシャフト６１と嵌め合わされ、シャフト６１に対して回転不能に取り付けられる。また、隣接するホイール６２；６２同士は、複数の巻取りパイプ６３により接続される。
【００３１】
次に、パイプカーテン３０の繰り出し時、及び巻き取り時におけるパネル体４０の状態について説明する。図５（ａ）は、パイプカーテン３０の繰り出し時（閉鎖時）におけるホイール６２及びパイプカーテン３０の縦断面図であり、図５（ｂ）は、パイプカーテン３０の巻き取り時（開放時）におけるホイール６２及びパイプカーテン３０の縦断面図である。
各図に示すように、図外の操作盤の操作によって、シャフト６１が巻き取り方向に回転すると、シャフト６１の回転に対応してホイール６２が回転を開始し、パイプカーテン３０は、徐々にホイール６２の外周面に沿って巻き取られる。そして、ホイール６２による巻き取り方向への回転が継続し、ホイール６２の周長分以上のパイプカーテン３０が巻き取られると、２周目以降に巻き取られるパイプカーテン３０は、１周目の回転において巻き取られたパイプカーテン３０上に積層されながら巻き取られる。
【００３２】
またここで、図５（ａ）中の拡大図で示すように、第１係合手段及び第２係合手段を含めたパネル体４０の高さ方向の寸法Ｈ２、及び奥行方向（前後方向）の寸法Ｇ１は、単一のリンク部材３２の高さ方向の寸法Ｈ３、及び奥行方向の寸法Ｇ２と一致又は僅かに小さく設定されている。
つまり、視認領域１８を閉塞するように取り付けられたパネル体４０は、リンク部材３２の外郭形状に収まる寸法に設定されており、図５（ｂ）に示すパイプカーテン３０の巻き取り時において、各視認領域１８に取り付けられたパネル体４０が積層方向に位置する他のパネル体４０と接触して干渉するようなことはなく、パイプカーテン３０の巻き取り時には、積層方向に位置するリンク部材３１同士のみが接触した状態となり、パイプカーテン３０を円滑に巻き取ることが可能となる。
【００３３】
次に、パネル体４０の意匠性を向上させた他の実施形態について説明する。
図６に示すパネル体４０は、視認領域１８と対応する閉塞部４１に複数のパンチング加工が施された点で、上述の各実施形態と異なる。同図に示すように、閉塞部４１に開設されたパンチング穴７０は、閉塞部４１の全域に渡って均等な間隔を持って配列されており、パネル体４０をこのような形態とすることにより、視認領域１８における開口面積を確実に低減できると同時に、視認領域１８の全域を閉塞する場合と比べて、店舗内等の視認性を確保することができる。
【００３４】
更には、図６の仮想線で示すように、複数のパンチング穴７０の任意の位置にゴムや軟性の樹脂からなるブッシュ８０を嵌め込むことにより、閉塞部４１に所望の形状やメッセージを表現することが可能となる。ブッシュ８０は、パンチング穴７０の直径よりも大径な嵌め込み部７０Ａを有しており、当該嵌め込み部７０Ａを弾性変形させながらパンチング穴７０に嵌め込むことが可能である。そして、例えば複数のブッシュ８０を店舗の名称やロゴマークを表現するように任意の位置に嵌め込むことにより、パイプカーテン３０の前を通る通行人等に対して所望の形状やメッセージを通じて所定の美観、即ち意匠性を看取させることが可能となる。
【００３５】
図７に示すパネル体４０は、視認領域１８と対応する閉塞部４１の一部の領域に所定の形状（本例においては三角形やローマ字）を表すように複数のパンチング穴７０を開設し、更に閉塞部４１の後面に発光装置９０を配設した点で上記各実施形態と異なる。図７（ｂ）のＡ−Ａ断面図に示すように、発光装置９０は、例えば内部に電池などの電源供給手段、及びＬＥＤ制御回路等がユニット化された発光制御部９３と、複数のＬＥＤが搭載され、閉塞部４１の前面に向けて面発光が可能な発光基板９５とを備える。
【００３６】
同図に示すように、発光制御部９３は、上下方向に隣接して配設された複数のパネル体４０のうち、上方に位置するパネル体４０の後面に配設されている。また、発光制御部９３の外形寸法は、パネル体４０の寸法と同様に、リンク部材３２の高さ方向の寸法Ｈ３、及び奥行方向の寸法Ｇ２よりも小さく設定されており、パイプカーテン３０の巻き取り時において、発光制御部９３が他のパネル体４０や他の発光制御部９３と接触して干渉するようなことはない。
【００３７】
発光基板９５は、上下方向に隣接して配設された複数のパネル体４０のうち、下方に位置するパネル体４０の後面に配設されている。発光基板９５は、その発光面９５Ａが、複数のパンチング穴７０を閉塞部４１の裏面から閉塞する位置に配設されており、本例においては例えば閉塞部４１の幅方向に沿って２つの発光基板９５が並設配置されている。また、発光基板９５の外形寸法は、上記発光制御部９３と同様に、リンク部材３２の高さ方向の寸法Ｈ３、及び奥行方向の寸法Ｇ２よりも小さく設定されており、パイプカーテン３０の巻き取り時において、発光基板９５が他のパネル体４０や他の発光基板９５等と接触して干渉するようなことはない。また、発光基板９５と、発光制御部９３とは、ハーネス９６によって接続されており、発光制御部９３に設けられた図外のスイッチの操作によって発光基板９５に搭載されたＬＥＤが点灯又は消灯する。
【００３８】
そして、発光制御部９３の点灯操作によって発光基板９５のＬＥＤが点灯すると、発光基板９５の発光面９５Ａから前方に向けて照射された光は、閉塞部４１の一部の領域に開設された複数のパンチング穴７０を介して、パネル体４０の前方に透過するため、例えば夜間にパイプカーテン３０の前を通る通行人等に対してＬＥＤの発光による所望の形状やメッセージを通じて所定の美観、即ち意匠性を看取させることが可能となる。なお、本実施形態においては、ＬＥＤを搭載した基板によって、パネル体４０の前方に光を照射する構成としたが、例えばパネル体４０を光透過性のあるアクリルや他の樹脂によって成形し、該パネル体４０の後面に液晶表示面を有する液晶表示器を配設する等によって、意匠性をより高める構成としてもよい。
また、本実施形態においては、発光制御部９３を上方に位置するパネル体４０の後面に配設するものとしたが、これに限るものではなく、発光制御部９３を別途パイプカーテン３０の外部に設置し、ハーネス９６を引き廻すようにしてもよい。
【符号の説明】
【００３９】
１０  パイプシャッター、１２  開口部、１３  ガイドレール、１８  視認領域、
３０  パイプカーテン、３１  パイプ体、３２  リンク部材、
４０  パネル体、４１  閉塞部、４２  折曲部、４３  支持部、４５  板ばね、
５０  クリップ体、５５Ａ，５５Ｂ  保持体、
６０  巻取り機構、６１  シャフト、６２  ホイール、６４  連結体、
７０  パンチング穴、８０  ブッシュ、９０  発光装置。
【図１】
2014136941.tif 000003
【図２】
2014136941.tif 000004
【図３】
2014136941.tif 000005
【図４】
2014136941.tif 000006
【図５】
2014136941.tif 000007
【図６】
2014136941.tif 000008
【図７】
2014136941.tif 000009